(57)【要約】      （修正有）【課題】座板と鉤（フック）とを備え、座板の裏面を壁面に貼着して使用する掛け具に関し、壁面に簡単に固定することができ、重いものを掛けるなどの際には強固に壁面に固定することもでき、装飾的にも優れた掛け具を提供する。【解決手段】鉤３ａを備えた座板２ａを壁の表面に固定して用いる掛け具１ａにおいて、座板２ａの周囲に延在する粘着シート４ａで座板２ａを壁面に固定できるようにした。座板２ａの表面に中央部を粘着して当該座板の周囲に延在する粘着シート４ａと、当該延在する部分の粘着面に貼着された剥離紙６とを備えたものとすれば、既存の掛け具本体と粘着テープ及び剥離紙を用いて容易に製造できる。壁面により強固に固定したいときは、壁面や座板の材質及び接着強度などに適合した接着剤を座板の裏面に塗布して壁面に固定する。この場合、壁面に貼着された粘着テープの延在部５ａ，５ｂは、接着剤が固化する前に掛け具の位置がずれたり壁面から浮き上がるのを防止する。【選択図】図１
0003187595.tif 000002
【実用新案登録請求の範囲】
【請求項１】
平坦な裏面を有する座板と、当該座板に固着した鉤とを備え、座板を壁の表面に固定して用いる掛け具において、当該掛け具の座板の上方に延在する粘着シートを備え、当該粘着シートの上記延在する部分を壁面に貼着して固定する、掛け具。
【請求項２】
平坦な裏面を有する座板と当該座板に固着した鉤とを備え、座板を壁の表面に固定して用いる掛け具において、
前記座板の表面に中央部を粘着して当該座板の周囲に延在する粘着シートと、当該粘着シートの前記延在する部分の粘着面に貼着された剥離紙とを備えている、掛け具。
【請求項３】
粘着テープの前記延在する部分が前記座板の裏面側に折り畳まれている、請求項１又は２記載の掛け具。
【請求項４】
座板の壁に固定されたときに下辺となる辺に鉤の基端が固定されており、粘着テープの前記延在する部分が、当該固定されたときの座板の上辺及び両側辺から延在している、請求項１又は２記載の掛け具。
【考案の詳細な説明】
【技術分野】
【０００１】
この考案は、座板と鉤（フック）とを備え、座板の裏面を壁面に貼着して使用する掛け具に関するものである。
【背景技術】
【０００２】
平坦な裏面を有する座板と当該座板に固着した鉤とを備え、座板を壁の表面に固定して用いる掛け具は周知である。従来、この種の掛け具は、座板を釘で壁面に固定するか、座板の裏面に接着剤を塗布して壁面に接着する構造が多かったが、現在では、座板の裏面に粘着剤が塗布されてその粘着面に剥離紙が貼着されているものが殆どである。
【０００３】
座板の裏面に塗布された粘着剤で固定する掛け具は、裏面に貼着されている剥離紙を剥がして粘着面を壁面に押し付けて固定する。
【考案の概要】
【考案が解決しようとする課題】
【０００４】
粘着剤で固定するものは、剥離紙を剥がして座板を壁面に押し付けて固定するが、固定力が弱く、重いものを掛けると掛け具がずれたり剥がれたりすることがある。これを防止するためには、座板を接着剤で壁面に接着することが考えられるが、座板の裏面に粘着剤が塗布されているものでは、粘着剤を剥がして接着剤を塗布しなければならないので面倒であるし、粘着剤を完全に剥がすのが困難であるため、座板の裏面に粘着剤が残ってその上に塗布した接着剤と座板との接着力を低下させるという問題がある。
【０００５】
一方、座板を釘で壁面に固定するものは、壁の材質によっては使用できない場合があり、釘を打ち付けるには金槌といくらかの技量が必要で、金槌を使い慣れていないと巧く固定することができない問題がある。
【０００６】
この考案は、上記のような従来の掛け具の問題点を解決して、壁面に簡単に固定することができ、重いものを掛けるなどの際には強固に壁面に固定することもでき、更に装飾的にも優れた掛け具を提供することを課題としている。
【課題を解決するための手段】
【０００７】
この考案の掛け具１（１ａ、１ｂ、１ｃ）は、平坦な裏面を有する座板２（２ａ、２ｂ、２ｃ）と、当該座板に固着した鉤３（３ａ、３ｂ、３ｃ）とを備え、座板２を壁の表面に固定して用いる掛け具において、当該掛け具の座板２の周囲に延在する粘着シート４で座板２を壁面に固定できるようにしたものである。
【０００８】
この考案の掛け具１は、座板２の表面に中央部を粘着して当該座板の周囲に延在する粘着シート４と、当該粘着シートの前記延在する部分５の粘着面に貼着された剥離紙６とを備えたものとすれば、既存の掛け具本体７（７ａ、７ｂ、７ｃ）と粘着テープ及び剥離紙を用いて容易に製造することができる。
【０００９】
流通段階や在庫段階においては、粘着シート４及びこれに貼着された剥離紙６の座板２の周囲に延在する部分５を座板２の裏面側に折り畳んでおけば、コンパクトに包装などすることができるので、延在部５を設けたことで流通段階や在庫段階で従来製品よりかさばることを防止できる。
【００１０】
製造の便宜を考慮したこの考案の掛け具１ｂ、１ｃは、座板２ｂ、２ｃの壁に固定されたときに下辺２１となる辺に鉤３ｃの基端が固定され、座板２ｂ、２ｃの表面に貼着された粘着シート４の延在部５が、壁面に固定されたときの座板２ｂ、２ｃの上辺及び両側辺から延在している構造である。
【００１１】
粘着シート４は、透明シート、不透明シート、表面に模様や図柄を付したシートなどとすることができ、周縁の形状も自由であり、これらの模様や図柄、周縁形状は容易に変更できて多種類のものを製造できるので、壁面や室内の雰囲気に合わせた装飾性に優れたものを提供できる。
【００１２】
この考案の掛け具１を壁面に取り付けるときは、座板２の裏面に折り畳まれている粘着シート４の延在部５を拡げ、当該延在部に貼着されている剥離紙を剥がして座板２の裏面を掛け具１を取り付けようとする箇所に定置し、粘着シートの延在部５を指先や鏝（スプーンなどでもよい）を用いて壁面に密着させることによって固定する。
【００１３】
壁面に固定された掛け具の鉤３に物を掛けたとき、その物に作用する重力は、座板２を座面に沿って下方にずらすように作用すると共に、座板２の上部を壁面から離隔させる方向のモーメントが作用する。粘着シート４は、通常、張力に対して強く抵抗することができるので、座板２の上方に延在する延在部５の壁面への粘着力は、掛け具の固定に有効に働き、掛け具の下方へのずれや壁面からの剥離を有効に防止することができる。
【００１４】
重いものを掛けるなどのために、この考案の掛け具を壁面により強固に固定したいときは、粘着シートの延在部５を拡げた後、壁面や座板２の材質及び接着強度などに適合した接着剤を座板２の裏面に塗布して上記と同様にして壁面に固定する。この場合、壁面に貼着された粘着テープの延在部５は、座板２に塗布した接着剤が固化するまで座板２を壁面に押し付けた状態で止めておく働きをし、接着剤が固化する前に掛け具の位置がずれたり壁面から浮き上がるのを防止する。
【００１５】
一般的には、壁面の材質などに適合した接着剤は、粘着シートの粘着力より大きな固着力を発揮するので、接着剤が固化した後は粘着シート４を壁面及び座板の表面から剥がして除去しても良い。粘着シート４が装飾の働きもしている場合などには、付けたままにしておくこともできる。
【考案の効果】
【００１６】
この考案の掛け具は、座板の裏面に塗布した粘着剤で座板を壁面に貼着する構造の従来の掛け具に比べて接着剤を使用しない場合でも座板２をより強固に壁面に固定することができる。粘着シート４は、表面に図柄や模様を付した既製の粘着シートを用いることができ、切断によって外周を種々の形状にできるので、美観の異なる複数種のものを提供することも容易である。
【００１７】
また、座板の裏面には粘着層が設けられていないので、当該裏面に接着剤を塗布して壁面に貼着することもでき、その場合には、接着剤が固化するまでの間、壁面に貼着された粘着シートの延在部５によって掛け具の取り付け位置が固定されるので、座板２がずれたり、壁面から浮き上がったりすることなく、接着剤で座板２を壁面に強固に固定することができるという効果がある。
【図面の簡単な説明】
【００１８】
【図１】第１実施例の斜視図
【図２】第１実施例の製造方法を示す説明図
【図３】第２実施例の斜視図
【図４】第２実施例の製造方法を示す説明図
【図５】第３実施例の斜視図
【図６】第３実施例の製造方法を示す説明図
【考案を実施するための形態】
【００１９】
以下、図面を参照して、この考案の掛け具の実施形態を説明する。第１実施例を示す図１の掛け具１ａは、座板２ａと鉤３ａとを一体成形した合成樹脂製の掛け具であり、矩形平板状の座板２ａの壁に取り付けたときの下辺２１の中央部に鉤３ａが一体に形成されている。粘着シート４は、座板２ａの壁に取り付けたときの幅方向両側に延在部５ａが延在するようにして座板２ａの上面に貼着した第１の粘着テープ４ａと、座板２ａの上方に延在部５ｂが延在するように第１の粘着テープ４ａに重ね合わせて座板２ａの上面に貼着した第２の粘着テープ４ｂとで形成されている。
【００２０】
この構造の掛け具１ａは、図２に示すように、掛け具本体７ａの座板２ａを剥離紙６の上に置き、当該座板の上面に第１と第２の粘着テープ４ａ、４ｂを座板２ａの上面に重ね合わせた状態で貼り付け、その延在部５ａ、５ｂの粘着面を剥離紙６に貼着し、その延在部５ａ、５ｂを座板２ａの裏面に折り畳むことによって製造することができる。
【００２１】
図３は、この考案の掛け具の第２実施例を示した図で、第１実施例と同様に合成樹脂の一体成形品であり、円形の座板２ｂの壁面に取り付けたときに下端となる部分に鉤３ｂが一体に形成されている。この第２実施例の掛け具１ｂは、座板２ｂの側方及び上方に延在する延在部５を備えた１枚の粘着シート４を備えており、当該粘着シート４の周縁は、下方を切欠いた形状の円形をしている。
【００２２】
この構造の掛け具１ｂは、図４に示すように、幅広い粘着テープ４ａと剥離紙テープ６ａを巻いたリール４１、６１を準備し、粘着テープリール４１と剥離紙リール６１との間に間隙を設けてこれらのリール４１、６１から引き出した粘着テープ４ａと剥離紙テープ６ａとの間に所定の間隔を隔て掛け具本体の座板２ｂをテープの側方から差し込んみ、隣接する掛け具本体７ｂ相互の間の部分で粘着テープ４ａを剥離紙テープ６ａに押し付けて貼着し、その後、貼着された粘着テープと剥離紙テープとを一体にして所望形状に切断し、延在部５と座板２ｂとの境界の山折り線８、９で延在部５を座板２ｂの裏面に折り畳むことによって製作することができる。
【００２３】
図５は、この考案の掛け具の第３実施例を示した図である。この第３実施例の掛け具本体７ｃは、合成樹脂製の座板２ｃの壁に取り付けたときの下辺２１の中央に金属製の鉤３ｃの基端を固着した構造をしている。座板２ｃの鉤３ｃの基端を固定している部分は、当該座板の下辺２１から下方にかつ当該座板の表側に突出しており、鉤３ｃの基端は、この突出部２２に埋め込まれた状態で一体化され、鉤３ｃの先端３１は、壁面に取り付けられたときの座板の下辺２１より下方に位置している。座板２ｃは、角丸正方形で、当該座板に貼着された粘着シート４も下辺を座板の下辺と略一致させた角丸矩形形状となっており、座板２ｃの両側及び上方に延在部５が形成されている。
【００２４】
この第３実施例の掛け具１ｃは、図６に示すように、幅広い粘着テープ４ａと剥離紙テープ６ａを巻いたリール４１、６１を準備し、粘着テープ４ａの粘着面に剥離紙テープ６ａを添設した状態でリール４１、６１から引き出した両テープ４ａ、６ａの間に、その引出し方向と同方向に掛け具本体の座板２ｃをリール４１、６１の間を通して所定間隔で送り込み、その後、隣接する掛け具本体７ｃとの間で貼着された粘着テープと剥離紙テープとを一体にして所望形状に切断切断し、延在部５と座板２ｃとの境界の山折り線８、９で延在部５を座板２ｃの裏面に折り畳むことによって製作することができる。
【００２５】
なお、図には特に明示してないが、表面に各種の図柄や模様を印刷した粘着テープを用いることにより、その周縁の切断形状と相俟って種々の装飾性を有する掛け具を提供することができる。また、粘着テープとして透明テープを用いることにより、掛け具の座板や壁面の色彩や模様をそのまま透視できるようにすることもできる。
【符号の説明】
【００２６】
１（１ａ、１ｂ、１ｃ）  掛け具
２（２ａ、２ｂ、２ｃ）  座板
３（３ａ、３ｂ、３ｃ）  鉤
４  粘着シート
５  粘着シートの延在部
６  剥離紙
７（７ａ、７ｂ、７ｃ）
２１  下辺
【図１】
0003187595.tif 000003
【図２】
0003187595.tif 000004
【図３】
0003187595.tif 000005
【図４】
0003187595.tif 000006
【図５】
0003187595.tif 000007
【図６】
0003187595.tif 000008